【手続補正書】
【提出日】平成25年4月5日(2013.4.5)
【手続補正１】
【補正対象書類名】明細書
【補正対象項目名】００７０
【補正方法】変更
【補正の内容】
【００７０】
画像特徴の歪を検出する際、その画像特徴（群）の構成部分を照明器５５で照明する形態にしてもよい。例えば、撮像デバイスで画像特徴（群）の構成部分を撮像する際、照明器５５でその部分を照明する形態にすることができる。輻射方向を記録媒体１７に向けた輻射源を照明器５５として使用することで、生成された画像特徴と媒体１７の境界部分との違いを際立たせることができる。センサ５２によって検出される反射輻射の強度や方向の変化に基づき、画像特徴の特定部分を検出することもできる。照明器５５としては、輻射源タイプのものを使用することも、輻射源兼検出器タイプのものを使用することもできる。照明器５５としてＬＥＤ光源やストロボ光源を使用することもできる。照明器５５の実装先はキャリッジ１８でも基台２０でもよい。なお、以下に、付記として本発明の構成の一例を示す。
（付記１）
媒体支持器上に記録媒体を配置するステップと、
個別作動可能な記録チャネルを複数個有する記録ヘッドを作動させることで、媒体支持器上に存する記録媒体上に画像特徴を１個又は複数個発生させるステップと、
媒体支持器上での記録媒体の姿勢を画像特徴記録時の第１姿勢とは別の第２姿勢に変化させるステップと、
第２姿勢で媒体支持器上に存する記録媒体から画像特徴の歪を検出するステップと、
歪の検出結果に従い一部の記録チャネルの作動タイミングを調整するステップと、
を有し、幾何学的歪に係る調整が施されるよう記録装置を再校正する方法。
（付記２）
付記１記載の方法であって、媒体支持器が位置規制子を有し、第１姿勢の記録媒体ではその一辺、第２姿勢の記録媒体では他辺がその位置規制子の近傍に位置する方法。
（付記３）
付記２記載の方法であって、上記一辺及び他辺が互いに交差する向きの辺である方法。
（付記４）
付記２記載の方法であって、上記一辺及び他辺が互いに記録媒体の対辺である方法。
（付記５）
付記１記載の方法であって、記録媒体上に画像特徴を発生させる際には、記録ヘッド及び媒体支持器をある方向沿いに相対運動させ、画像特徴の歪を検出する際には、記録ヘッド及び媒体支持器をそれとは別の方向沿いに相対運動させる方法。
（付記６）
付記１記載の方法であって、記録媒体上に画像特徴を発生させる際、記録ヘッドを経路沿いに駆動可能なキャリッジを用い記録ヘッドをその経路沿いに移動させ、画像特徴の歪を検出する際、そのキャリッジで記録ヘッドの位置を固定する方法。
（付記７）
付記６記載の方法であって、画像特徴の歪を検出する際、そのキャリッジ上のセンサを使用する方法。
（付記８）
付記１記載の方法であって、媒体支持体上で記録媒体が採る第２姿勢が、媒体支持器上で第１姿勢を採っていた記録媒体を回動させた姿勢に相当する姿勢である方法。
（付記９）
付記１記載の方法であって、媒体支持体上で記録媒体が採る第２姿勢が、媒体支持器上で第１姿勢を採っていた記録媒体を、記録媒体の媒体支持器接触面に略直交する軸周りで、ある回動角に亘り回動させた姿勢に相当する姿勢である方法。
（付記１０）
付記９記載の方法であって、その回動角が８５〜９５°の範囲内の方法。
（付記１１）
付記９記載の方法であって、その回動角が１７５〜１８５°の範囲内の方法。
（付記１２）
付記１１記載の方法であって、記録媒体の表面のうち、第１姿勢を採っているときに媒体支持器に接触する面と、第２姿勢を採っているときに媒体支持器に接触する面とが、その記録媒体を挟み表裏に位置する方法。
（付記１３）
付記１記載の方法であって、その姿勢を第１姿勢から第２姿勢に変化させる前に記録媒体を媒体支持器から完全に分離させる方法。
（付記１４）
付記１記載の方法であって、その姿勢を第１姿勢から第２姿勢に変化させる前に記録媒体の記録部分・非記録部分間コントラストを調整する方法。
（付記１５）
付記１記載の方法であって、画像特徴の歪をセンサで検出する方法。
（付記１６）
付記１５記載の方法であって、そのセンサをキャリッジで経路沿いに移動させる方法。
（付記１７）
付記１５記載の方法であって、そのセンサが撮像デバイスを有する方法。
（付記１８）
付記１５記載の方法であって、その画像特徴を照明器で照明しつつ画像特徴の歪を検出する方法。
（付記１９）
記録媒体を支持可能な円筒面を有する媒体支持器と、
個別作動可能な記録チャネルを複数個有する記録ヘッドと、
媒体支持器の回動軸を基準に定めた経路沿いに記録ヘッドを移動させるキャリッジと、
センサと、
コントローラと、
を備え、そのコントローラが、
円筒面上に存する記録媒体上に、キャリッジで記録ヘッドを経路沿いに移動させつつ画像特徴を１個又は複数個発生させる動作と、
画像特徴生成時の第１姿勢とは別の第２姿勢で円筒面上に存する記録媒体から、センサを用い画像特徴の主走査性歪を検出する動作と、
主走査性歪の検出結果に従い一部の記録チャネルの作動タイミングを調整する動作と、
を実行する記録装置。
（付記２０）
付記１９記載の記録装置であって、第２姿勢で円筒面上に存する記録媒体からセンサを用い主走査性歪を検出する際、同一画像特徴の一部分又は複数部分における副走査方向沿い位置のずれを検出する記録装置。
（付記２１）
付記１９記載の記録装置であって、第２姿勢で円筒面上に存する記録媒体からセンサを用い主走査性歪を検出する際、画像特徴間の副走査方向沿い間隔のずれを検出する記録装置。
（付記２２）
付記１９記載の記録装置であって、媒体支持器が位置規制子を１個又は複数個有し、第１姿勢では記録媒体の一辺、第２姿勢ではそれと交差する向きの他辺がその位置規制子の近傍を占める記録装置。
（付記２３）
付記１９記載の記録装置であって、そのキャリッジでセンサを経路沿いに移動させる記録装置。
（付記２４）
付記１９記載の記録装置であって、そのセンサが撮像デバイスを有する記録装置。
（付記２５）
付記２４記載の記録装置であって、画像特徴の主走査性歪を検出するとき記録媒体を照明する照明器を備える記録装置。
【手続補正２】
【補正対象書類名】特許請求の範囲
【補正対象項目名】全文
【補正方法】変更
【補正の内容】
【特許請求の範囲】
【請求項１】
幾何学的な歪を調整するために記録装置の較正を変化させる方法であって、
記録媒体を受けるための媒体支持体を設けるステップと、
前記媒体支持体上に第１の向きで前記記録媒体が置かれている間に、個別にアドレス指定が可能な複数の記録チャネルを備える記録ヘッドを、前記記録媒体上に少なくとも１つの画像特徴を形成するように操作するステップと、
前記第１の向きとは異なる第２の向きで前記媒体支持体上に前記記録媒体を配置するステップと、
前記媒体支持体上に前記第２の向きで前記記録媒体が置かれている間に、前記少なくとも１つの画像特徴の歪を検出するステップと、
前記検出された歪に従い、前記記録チャネルの一部の作動タイミングを調整するステップと、
を含むことを特徴とする方法。
【請求項２】
請求項１に記載の方法であって、前記媒体支持体が位置規制子を有し、前記媒体支持体上に前記第１の向きで前記記録媒体が置かれている間に前記位置規制子の近くに前記記録媒体の第１の辺を位置決めするステップと、前記媒体支持体上に前記第２の向きで前記記録媒体が置かれている間に前記位置規制子の近くに前記記録媒体の第２の辺を位置決めするステップとを前記方法が含み、前記第１の辺が前記第２の辺とは異なることを特徴とする方法。
【請求項３】
請求項２に記載の方法であって、前記第２の辺が前記第１の辺と交差するような位置関係にあることを特徴とする方法。